(57)【要約】  入力系列から複数の出力系列を生成して循環遅延ダイバーシティを得る装置が、入力系列の複数のコピーを提供する複写器（１０１）、及び入力系列のコピーを可変的及び循環的にシフトして複数の出力系列の中の１つの出力系列を得る循環シフト要素（１０７）を含む。循環シフト要素（１０７）は、入力系列のコピーがシフトされる値の数を示す可変制御信号を受け取り、可変制御信号に応答して値の数だけ入力系列のコピーを循環的にシフトするようにされる。
2008511220.tif 000002
【特許請求の範囲】
【請求項１】
入力系列から複数の出力系列を生成して循環遅延ダイバーシティを得る装置であって、
入力系列の複数のコピーを提供する複写器（１０１）と、
複数の出力系列の中の１つの出力系列を得るために、入力系列のコピーを可変的及び循環的にシフトさせる循環シフト要素（１０７）と
を含み、循環シフト要素（１０７）が、入力系列のコピーをシフトさせる値の個数を示す可変制御信号を受け取り、該可変制御信号に応答して、該値の個数だけ入力系列のコピーを循環的にシフトするようにされる、装置。
【請求項２】
複数の出力系列が、複数の送信点によって、複数の可変通信路を介して送信され、
可変制御信号を生成して循環遅延ダイバーシティを可変伝送条件へ適合化するようにされるコントローラ（１１１）を含む、請求項１に記載の装置。
【請求項３】
可変伝送条件が、ダイバーシティ符号化利得、符号化率、符号化スキーム、通信路の容量、通信路状態情報、循環遅延ダイバーシティを導入して生じる有効通信路の容量、ビット誤り率、利用可能な帯域幅、マルチユーザ・シナリオで入力系列に含まれるユーザ信号の数、送信点の数、受信点の数、変調または復調スキーム、サービス品質要件、又は入力系列の長さを含む、請求項２に記載の装置。
【請求項４】
可変伝送条件が符号化率を含み、コントローラ（１１１）が、符号化率に依存して入力系列のコピーがシフトされる値の個数を決定するようにされる、請求項２又は３に記載の装置。
【請求項５】
可変伝送条件が、異なる符号化率を含み、コントローラ（１１１）が、異なる符号化率の上界の符号化率に依存して入力系列のコピーがシフトされる値の個数を決定するようにされる、請求項２から４に記載の装置。
【請求項６】
伝送条件が符号化率であり、コントローラ（１１１）が、異なる符号化率に対しては異なる値の個数を含むルックアップ・テーブルから、入力系列のコピーがシフトされる値の個数を決定するようにされる、請求項２から５に記載の装置。
【請求項７】
前記入力系列は、符号化スキームを使用して符号化された情報系列を処理することから生じ、可変伝送条件が、前記符号化スキームに関連づけられた符号化率Ｒであり、コントローラ（１１１）が、前記値の個数を決定して、或る数の異なる通信路状態が有効通信路へ導入されるようにされ、複数の通信路を介して複数の出力系列を送信するとき有効通信路が生じ、次式、
【数１】
2008511220.tif 000037
の要件が満足されるように、異なる通信路状態の数Ｓが選択される、請求項２から６に記載の装置。
【請求項８】
通信路状態の数が、有効通信路の伝達関数の相関係数の異なる集合の数を決定し、異なる集合に属する係数が、少なくとも部分的に無相関である、請求項７に記載の装置。
【請求項９】
符号化スキームを使用して符号化されている情報系列からマルチキャリヤ系列が得られ、ＮS点周波数−時間変換を使用して周波数−時間変換されているマルチキャリヤ系列を入力系列が含み、入力系列のｎ番目のコピーがシフトされる値の個数を示す可変制御信号を生成するコントローラが含まれ、値の個数が、次式、
【数２】
2008511220.tif 000038
から引き出され、ここで、Δn-1が入力系列の（ｎ−１）番目のコピーがシフトされる値の個数を表し、Ｓが、異なる通信路状態の数を表す、請求項１から８に記載の装置。
【請求項１０】
複数の通信路を介して複数の出力系列を変換するときに有効通信路が生じ、可変伝送条件が有効通信路の容量を含み、入力系列のコピーがシフトされる値の個数に有効通信路の容量が依存し、コントローラが、値の個数を決定して、有効通信路の容量が増加されるようにされる、請求項２から９に記載の装置。
【請求項１１】
コントローラが、１に等しい最大公約数を有する値を含む値の集合からのみ値の個数を決定するようにされる、請求項１０に記載の装置。
【請求項１２】
コントローラを含み、コントローラが、通信路状態情報に基づいて値の個数を決定し、通信路状態情報に依存して入力系列のコピーの循環シフトを制御するようにされる、請求項１から１０に記載の装置。
【請求項１３】
処理スキームを使用して情報系列を処理し、入力系列を得るプロセッサと、
入力系列から複数の出力系列を生成して循環遅延ダイバーシティを得て、複数の出力系列が複数の送信点によって送信される、請求項１から１２に記載の装置とを含み、
複数の出力系列を生成する装置がコントローラを含み、該コントローラが循環シフト要素を制御して、入力系列のコピーがシフトされる値の個数を処理スキームへ適合化する
送信機装置。
【請求項１４】
プロセッサが、符号化スキームを使用して情報系列を符号化する符号器を含み、コントローラが、入力系列のコピーをシフトさせる値の個数を制御して循環遅延ダイバーシティを符号化スキームへ適合化するようにされる、請求項１３に記載の装置。
【請求項１５】
符号化スキームが符号化率に関連づけられ、コントローラが、符号化率に依存して入力系列のコピーがシフトされる値の個数を制御するようにされる、請求項１４に記載の送信機装置。
【請求項１６】
コントローラが、伝送条件に依存して符号化スキームを決定し、符号化スキームに依存して値の個数を決定するようにされる、請求項１４又は１５に記載の装置。
【請求項１７】
プロセッサが、
符号化スキームを使用して情報系列を符号化し、符号化された系列を得る符号器と、
値のストリームの数を示す制御信号に応答して、符号化された系列を値の或る数のストリームへ逆多重化するデマルチプレクサと、
値の各々のストリームについて、マッピング・スキームに従ってストリーム値のグループを記号の上にマッピングして記号の或る数のストリームを得るマッパと、
記号の各々のストリームの或る数の連続した記号を、連続した副搬送波の異なる集合へ割り当てて、マルチキャリヤ信号を得る割り当て器と、
マルチキャリヤ信号を変換して入力系列を得る周波数−時間変換器とを含み、
コントローラが、符号化スキームに依存する値のストリームの数を示す制御信号を提供するようにされる、
請求項１３から１７に記載の送信機装置。
【請求項１８】
ｎT個の入力系列から出力系列を生成して循環遅延ダイバーシティを得るする装置であって、前記装置は、
ｎT−１個の入力系列を可変的及び循環的にシフトしてｎT−１個のシフトされた系列を得るｎT−１個の循環シフト要素であって、その各々が、入力系列をシフトさせる値の個数を示す可変制御信号を受け取り、可変制御信号に応答して、値の個数だけ入力系列を循環的にシフトするようにされる循環シフト要素と、
ｎT−１個のシフトされた系列及び最初の入力系列又はそのシフトされたバージョンを加えて出力系列を得る加算器と
を含む装置。
【請求項１９】
受信系列から情報系列の受信バージョンを提供し、受信系列が複数の通信路を介して送信されている複数の送信系列の重ね合わせを含み、循環遅延ダイバーシティ・スキームに従って入力系列のコピーを数の値だけ循環的にシフトすることから送信系列が生じ、マルチキャリヤ信号を周波数−時間変換することから入力系列が生じ、マルチキャリヤ信号が、連続した副搬送波の異なる集合を含み、記号の或る数のストリームの中の記号の１つのストリームの或る数の連続した記号を、連続した副搬送波へ割り当てることから、副搬送波の各々の集合が生じ、マッピング・スキームに従ってストリーム値のグループを記号の上にマッピングすることから記号のストリームが生じ、符号化された系列を値の或る数のストリームへ逆多重化することから値の或る数のストリームが生じ、符号化された系列が、符号化スキームを使用して符号化されている情報系列を含む受信機装置であって、
符号化スキームに関する情報を提供する手段と、
受信系列を変換系列へ変換する時間−周波数変換器と、
連続した副搬送波の集合を或る数の連続した記号へ再割り当てして、記号の或る数のストリームを得る再割り当て器と、
記号の各々のストリームについて、値のストリームを得る逆マッパと、
値のストリームの数を示す制御信号に応答して、値の或る数のストリームを、符号化された系列へ多重化するマルチプレクサと、
符号化スキームを使用して、符号化された系列を復号し、情報系列の受信バージョンを得る復号器と
を含み、符号化スキームに関する情報を提供する手段が、値のストリームの数を示す制御信号を生成するようにされる、受信機装置。
【請求項２０】
複数の送信系列を提供する装置であって、
符号化スキームを使用して情報系列を符号化し、符号化された系列を得る符号器と、
値のストリームの数を示す制御信号に応答して、符号化された系列を値の或る数のストリームへ逆多重化するデマルチプレクサと、
値のストリームのために、マッピング・スキームに従ってストリーム値のグループを記号の上にマッピングし、記号の或る数のストリームを得るマッパと、
記号の各々のストリームについて、或る数の連続した記号を、連続した副搬送波の異なる集合へ割り当てて、マルチキャリヤ系列を得る割り当て器と、
マルチキャリヤ系列の或る数のコピーを提供する複写器と、
マルチキャリヤ系列のコピーのために、可変位相偏移をマルチキャリヤ系列のコピーの中へ導入してマルチキャリヤ系列の位相偏移されたコピーを得る可変位相偏移要素と、
マルチキャリヤ系列の位相偏移されたコピーのために、複数の送信系列の中の１つの送信系列を得る周波数−時間変換器と、
伝送条件に依存して、ストリームの数を示す制御信号又はマルチキャリヤ系列のコピーの中へ導入される可変の位相偏移を示す制御信号を提供するコントローラと
を含む装置。
【請求項２１】
コントローラが、マルチキャリヤ信号のコピーの数を示す制御信号を提供するようにされ、複写器が、制御信号に応答してマルチキャリヤ信号の或る数のコピーを生成するようにされる、請求項２０に記載の装置。
【請求項２２】
入力系列から複数の出力系列を生成して循環遅延ダイバーシティを得る方法であって、前記方法は、
入力系列の複数のコピーを提供し、
入力系列のコピーをシフトさせる値の個数を示す可変制御信号を受け取り、可変制御信号に応答して、入力系列のコピーを値の個数だけ循環的にシフトさせるとき、入力系列のコピーを可変的及び循環的にシフトして複数の出力系列の中の１つの出力系列を得る
ことを含む方法。
【請求項２３】
受信方法であって、
処理スキームを使用して情報系列を処理し、入力系列を得て、
請求項２２に記載の方法に従って入力系列から複数の出力系列を生成し、
入力系列のコピーの循環シフトを制御して、入力系列のコピーをシフトさせる値の個数を処理スキームへ適合化する
ことを含む方法。
【請求項２４】
ｎT個の入力系列から出力系列を生成して循環遅延ダイバーシティを得る方法であって、前記方法は、
入力系列をシフトさせる値の個数を示す可変制御信号を受け取り、可変制御信号に応答して、ｎT−１個の入力系列を可変的及び循環的にシフトしてｎT個のシフトされた系列を得て、
ｎT−１個のシフトされた系列及び最初の入力系列又はそのシフトされたバージョンを加えて出力系列を得る
ことを含む方法。
【請求項２５】
受信系列から情報系列の受信バージョンを提供し、複数の通信路を介して送信されている複数の送信系列の重ね合わせを受信系列が含み、循環遅延ダイバーシティ・スキームに従って入力系列のコピーを値の個数だけ循環的にシフトすることから送信系列が生じ、マルチキャリヤ信号を周波数−時間変換することから入力系列が生じ、マルチキャリヤ信号が、連続した副搬送波の異なる集合を含み、記号の或る数のストリームの中の記号の１つのストリームの或る数の連続した記号を、連続した副搬送波へ割り当てることから、副搬送波の各々の集合が生じ、マッピング・スキームに従ってストリーム値のグループを記号の上にマッピングすることから記号のストリームが生じ、符号化された系列を、値の或る数のストリームへ逆多重化することから、値の或る数のストリームが生じ、符号化された系列が、符号化スキームを使用して符号化されている情報系列を含む方法であって、前記方法は、
符号化スキームに関する情報を提供し、
受信系列を変換系列へ時間−周波数変換し、
連続した副搬送波の集合を或る数の連続した記号へ再割り当てして記号の或る数のストリームを得て、
記号の各々のストリームを逆マッピングして、記号の各々のストリームから値のストリームを得て、
値のストリームの数を示す制御信号に応答して、値の或る数のストリームを、符号化された系列へ多重化し、
符号化スキームを使用して、符号化された系列を復号して情報系列の受信バージョンを得るすることを含み、
符号化スキームに関する情報を提供するステップが、値のストリームの数を示す制御信号を生成するステップを含む
方法。
【請求項２６】
複数の送信系列を提供する方法であって、
符号化スキームを使用して情報系列を符号化し、符号化された系列を得て、
値のストリームの数を示す制御信号に応答して、符号化された系列を値の或る数のストリームへ逆多重化し、
値の各々のストリームのために、マッピング・スキームに従ってストリーム値のグループを記号の上にマッピングして、記号の或る数のストリームを得て、
記号の各々のストリームについて、或る数の連続した記号を、連続した副搬送波の異なる集合へ割り当てて、マルチキャリヤ系列を得て、
マルチキャリヤ系列の或る数のコピーを提供し、
マルチキャリヤ系列の各々のコピーのために、可変の位相偏移をマルチキャリヤ系列のコピーの中へ導入してマルチキャリヤ系列の位相偏移されたコピーを得て、
マルチキャリヤ系列の各々の位相偏移されたコピーを周波数−時間変換して、複数の送信系列の中の１つの送信系列を得て、
伝送条件に依存して、ストリームの数を示す制御信号又はマルチキャリヤ系列のコピーの中へ導入される可変の位相偏移を示す制御信号を提供する
ことを含む方法。
【請求項２７】
コンピュータ・プログラムがコンピュータ上で実行するとき、請求項２２から２５の方法の少なくとも１つを達成するコンピュータ・プログラム。
【発明の詳細な説明】
【技術分野】
【０００１】
本発明は電気通信の分野に属し、具体的には、ダイバーシティ手法の分野に属する。
【背景技術】
【０００２】
無線通信において、フェージングの有害な効果を緩和するため、送信ダイバーシティ手法が使用される。簡単な送信ダイバーシティ手法は遅延ダイバーシティである。その場合、異なる遅延を有する複数のアンテナから同じ信号が送信される。これにより、各々の送信アンテナから各々の受信アンテナへの最初のサブチャネルと比較して、増加した周波数選択性、したがって増加した周波数ダイバーシティを有する等価単入力通信路が生じる。直交周波数分割多重変調（ＯＦＤＭ）において、この周波数ダイバーシティは、順方向誤り訂正復号器によって利用可能である。しかし、付加的遅延を導入することにより、より長い保護区間が必要となり、結果として、低減された帯域幅効率が生じる。保護区間が十分に長くなければ、付加的遅延によって搬送波間干渉が生じる。保護区間の範囲を越えることなく、増加した周波数選択性を生じる洗練された方法は、A.Dammann and S.Kaiser:Standard conformable antenna diversity techniques for OFDM systems and its application to the DVB-T system,IEEE Globecom,pages 3100-3105,November 2001,A.Dammann and S.Kaiser:Low complex standard conformable antenna diversity techniques for OFDM systems and its application to the DVB-T system,4th International ITG Conference on Source and Channel Coding,pages 253-259,January 2002,A.Dammann,R.Raulefs,and S.Kaiser:Beamforming in combination with space-time diversity for broadband OFDM systems,IEEE International Conference on Communications(ICC),pages 165-171,April 2002,and D.Gore,S.Sandhu,and A.Paulraj.Delay diversity codes for frequency selective channels,International Conference on Communications(ICC),pages 1949-1953.IEEE,April 2002の中で、循環遅延ダイバーシティとして提案された。ここで、遅延は、保護区間の範囲を越えないように循環を御地いる手法によって実現される。
【０００３】
循環遅延の選択は、必須の設計パラメータである。完全な空間ダイバーシティの利用を可能にするため、循環遅延は最大通信路遅延よりも大きくなるように選択されなければならない。しかし、この規準は、容量を最大にすることに関して十分ではない。更に、現実世界のＦＥＣ符号は、限定された制約長を有する。したがって、完全な空間ダイバーシティは、限定されて制御可能な数の副搬送波の周波数ダイバーシティへ変換されるべきである。これは、２の倍数である大きな循環遅延を選択することによって達成可能である。具体的には、ＮSがＯＦＤＭ変調器のＦＦＴサイズである場合、ＮS／２の循環遅延を有する２送信アンテナ方式において、空間ダイバーシティは、２つだけの隣接副搬送波間の周波数ダイバーシティへ変換される。これは、例えば、率Ｒ≦１／２の標準畳込み符号の場合に、最適フレーム誤り率（ＦＥＲ）を生じることが示される。更に、循環遅延のこの選択は、通信路推定、又は差分変調が適用される場合に有利である。しかし、Ｒ＝１／２よりも高い符号化率については、循環遅延のこの選択は最適に及ばないことが分かる。
【０００４】
以下では、ＯＦＤＭ方式に関連づけて循環遅延ダイバーシティを説明する。
【０００５】
ｎT個の送信アンテナ及びｎR個の受信アンテナを有する多入力多出力（ＭＩＭＯ）通信路を考える。時間ｔにおける送信アンテナｎから受信アンテナｍへのインパルス応答は、１×ＮSベクトルによって与えられる。
【数１】
2008511220.tif 000003
ここで、Ｄは送信アンテナから受信アンテナへのサブチャネルの最大メモリである。
【０００６】
循環遅延ダイバーシティの原理は、図６及び図７で示される。データは、順方向誤り訂正（Ｆｏｒｗａｒｄ  Ｅｒｒｏｒ  Ｃｏｒｒｅｃｔｉｎｇ；ＦＥＣ）符号器によって符号化される。任意的なインタリーバΠの後で、符号ビットは、例えば、ＱＡＭ又はＰＳＫ記号の上に変調される。ＯＦＤＭは、サイズＮSの逆高速フーリエ変換（ＩＦＦＴ）を使用して実現される。ここで、ＮSは副搬送波の数である。ＩＦＦＴの出力記号は
【数２】
2008511220.tif 000004
で表される。各々のアンテナは、異なる循環遅延Δn、ｎ＝１，．．．，ｎTを導入する。即ち、時間ｔにおけるアンテナｎからの送信記号は、次式によって与えられる。
【数３】
2008511220.tif 000005
【０００７】
送信前に、通常、ＯＦＤＭで行われるように、各々の送信アンテナで循環保護区間（ＧＩ）が含められる。
【０００８】
システムは、１つの送信アンテナ及び次式のインパルス応答を有する周波数選択通信路を介する系列
【数４】
2008511220.tif 000006
の送信と等価である。
【数５】
2008511220.tif 000007
【０００９】
受信機は標準ＯＦＤＭ受信機である。この受信機は保護区間を除去し、復調及び復号の前にＦＦＴを実行する。
【００１０】
基本的には、循環遅延ダイバーシティは、多入力多出力（Ｍｕｌｔｉｐｌｅ−Ｉｎｐｕｔ  Ｍｕｌｔｉｐｌｅ−Ｏｕｔｐｕｔ；ＭＩＭＯ）通信路を、増加した周波数選択性を有する単入力多出力（Ｓｉｎｇｌｅ−Ｉｎｐｕｔ  Ｍｕｌｔｉｐｌｅ−Ｏｕｔｐｕｔ；ＳＩＭＯ）通信路へ変換した。即ち、空間ダイバーシティが周波数ダイバーシティへ変換される。効果は図８に示される。図８の左側に示されるフラットフェージング通信路において、ビット誤り率（ＢＥＲ）は、各々の副搬送波の上で同じである。循環遅延ダイバーシティによって、図８の右側で示されるように、通信路を周波数選択通信路へ変換される。符号化された伝送の平均ＢＥＲは、フラットフェージング通信路と同じである。しかし、ＢＥＲは副搬送波にわたって一定ではない。外部ＦＥＣ復号器は、利用可能な周波数ダイバーシティを選択することができる。循環遅延ダイバーシティは、ダイバーシティを利用するためにＦＥＣ復号器を必要とする。
【００１１】
ｋ番目のＯＦＤＭ記号における受信アンテナｍのｄ番目の副搬送波の結果の通信路係数は、次式によって与えられる。
【数６】
2008511220.tif 000008
ここで、
【数７】
2008511220.tif 000009
はインパルス応答（１）のＦＦＴである。
【００１２】
G.Bauch and J S.Malik.Orthogonal frequency division multiple access with cyclic delay diversity.In ITG Workshop on Smart Antennas,March 2004において、完全空間ダイバーシティは、循環遅延が次式を満足させる場合にのみ利用できることが示されている。
【数８】
2008511220.tif 000010
ここで、ΔnはＦＦＴ標本空間へ正規化され、Ｄは送信アンテナから受信アンテナへのサブチャネルの最大メモリである。この条件は、最適性能を得るために必要であるが、十分ではない。１つの可能性は、次式に従って循環遅延を選択することである。
【数９】
2008511220.tif 000011
ここで、Ｇは保護区間の長さである。しかし、G.Bauch and J S.Malik:Orthogonal frequency division multiple access with cyclic delay diversity,ITG Workshop on Smart Antennas,March 2004,G.Bauch:Multi-stream differential modulation for cyclic delay diversity in OFDM,IEEE International Conference on Communications(ICC),June 2004,G.Auer:Channel estimation for OFDM with cyclic delay diversity,IEEE International Symposium on Personal,Indoor and Mobile Radio Communications(PIMRC),September 2004において、最大可能循環遅延を選択することは、差分変調のＦＥＲ性能、通信路推定、又は応用に関して有利であることが示されている。これは、次式に従った循環遅延を選択することを導く。
【数１０】
2008511220.tif 000012
【００１３】
しかし、この選択は、ＦＥＣ符号化率Ｒ≦１／２についてのみ最適であることが分かる。より高い符号化率については、より低い循環遅延が最適である。
【００１４】
これは、次のように説明することができる。即ち、最初の通信路が周波数フラットであり、循環遅延が２の倍数であれば、（５）に従った有効通信路の周波数定義域通信路係数は、限定された数の明確な状態を取ることができる。例えば、ｎT＝２の送信アンテナ及びΔ2＝ｎS／２の循環遅延の場合、項ｅj2πdΔn/NSは、次のように２つの異なる状態を取ることができる。
【数１１】
2008511220.tif 000013
【００１５】
フラットフェージングＭＩＭＯ通信路の例は、図９で示される。次の相関行列が与えられるとすれば、
【数１２】
2008511220.tif 000014
最初の副搬送波の相関関数
【数１３】
2008511220.tif 000015
は、図１０に描かれる。１つおきの副搬送波の通信路係数は同じであるが、隣接した副搬送波は無相関であることが分かる。空間ダイバーシティは、隣接した副搬送波間で周波数ダイバーシティへ変換される。
【００１６】
周波数選択通信路についても、類似の結果が得られる。相関関数は、Ｄ＋１＝３の独立フェージングタップｈt(nm)（ｄ）を有する通信路について、図１１で示される。これらのタップは、各々の送信アンテナから各々の受信アンテナへの等しい平均電力を有する。最初の通信路の周波数選択性に起因して、１つおきの副搬送波の通信路タップＨk(m)（ｄ）は、もはや同じではない。
【発明の開示】
【発明が解決しようとする課題】
【００１７】
本発明の目的は、増加した性能を有する循環遅延ダイバーシティの概念を提供することである。
【課題を解決するための手段】
【００１８】
上記目的は、請求項１に従って複数の出力系列を生成する装置、請求項１３に従った送信機装置、請求項１８に従って出力系列を生成する装置、請求項１９に従った受信機装置、請求項２２に従って複数の出力系列を生成する方法、請求項２３に従った方法、請求項２４に従って出力系列を生成する方法、請求項２５に従った受信方法、又は請求項２６に従ったコンピュータ・プログラムによって達成される。
【００１９】
本発明は、変動する伝送条件へ周波数ダイバーシティ・スキームを可変的に適合化するとき、循環遅延ダイバーシティ・スキーム又は位相ダイバーシティ・スキームによって得られる周波数ダイバーシティ・スキームの性能を改善できるという知見に基づく。
【００２０】
例えば、循環遅延ダイバーシティ・スキームは、適応形循環遅延制御によって改善可能である。適応形循環遅延制御は、循環遅延ダイバーシティ・スキームを可変伝送条件、例えば、情報系列の符号化に使用される異なる符号化スキームへ適合化し、循環遅延ダイバーシティを導入するときに生じる周波数ダイバーシティを符号化スキームへマッチさせ、受信機でダイバーシティ復号利得を得ることができる。
【００２１】
更に、循環遅延ダイバーシティの導入は、循環遅延ダイバーシティ手法を使用し、複数の通信路を介して複数の送信系列を送信するときに生じる有効通信路の通信路容量に影響を与える。前述した伝送条件が、例えば、容量増加要件を含むならば、本発明に従って、循環遅延又は等価的に循環シフトを制御することによって、有効通信路の容量を増加することができる。その場合、循環遅延は、循環遅延の集合を発見するための合成を利用するアプローチの解析に基づいて発見可能であり、有効通信路の容量が増加されるように循環遅延ダイバーシティを制御する。
【００２２】
送信系列の異なるバージョンを受け取るため複数の受信アンテナを使用する受信機での循環遅延ダイバーシティの導入に、同じ考慮が適用される。本発明によれば、循環遅延ダイバーシティ・スキームの線形性に起因して、例えば、前述した遷移要件の１つを満足させるため受信バージョンを制御可能及び循環的に遅延させることによって、制御可能な循環遅延ダイバーシティを受信機で導入することができる。
【００２３】
更に、時間定義域内の遅延と周波数定義域内の位相偏移（phase shift）との間の密接な関係に起因して、周波数定義域で可変位相偏移を導入する手段による可変周波数ダイバーシティの導入に、同じ考慮が適用される。
【００２４】
本発明の更なる実施形態は、以下の図面に関して説明される。
【発明を実施するための最良の形態】
【００２５】
図１は、本発明の実施形態に従って、入力系列から複数の出力系列を生成して循環遅延ダイバーシティを得る装置のブロック図である。
【００２６】
図１に示される装置は、入力１０３及び複数の出力１０５を有する複写器１０１を含む。装置は、更に、循環シフト要素１０７を含む。循環シフト要素は、複写器１０１の複数の出力の１つへ結合された入力を有する。更に、循環シフト要素は制御入力１０９で出力を有し、コントローラ１１１の出力が制御入力１０９へ結合される。循環シフト要素１０７の出力を介して、複数の出力系列１１３の１つの出力系列が提供される。
【００２７】
本発明によれば、複写器１０１は、入力系列の複数のコピーを提供するようにされる。入力系列は入力１０３を介して提供され、入力系列の複数のコピーは、複写器１０１の複数の出力１０５を介して提供される。ここで、入力系列のコピーは、それに関連づけられた出力を介して提供される。
【００２８】
単なる例として、図１は、入力系列の最初のコピーを、循環的にシフトすることなく、複数の出力系列の最初の出力系列として直接提供する場合を示す。しかし、本発明によれば、更に、入力系列の最初のコピーを、例えば、循環遅延ダイバーシティを導入する発明の可変循環シフト要素を使用して、循環的にシフトすることが可能である。
【００２９】
循環シフト要素１０７は、循環シフト要素１０７へ提供された入力系列のコピーを可変的及び循環的にシフトして、複数の出力系列の中の１つの出力系列を得るようにされる。ここで、１つの出力系列は、循環シフト要素１０７の出力を介して提供される。
【００３０】
本発明によれば、循環シフト要素１０７は、入力系列のコピーがシフトされる値の個数（値の数）を示す可変制御信号を受け取り、可変制御信号に応答して、入力系列のコピーを前記値の数だけ循環的にシフトし、制御可能な循環遅延ダイバーシティを導入できるようになされる。
【００３１】
制御信号は、コントローラ１１１によって循環シフト要素１０７の制御入力１０９へ提供されることができる。
【００３２】
例えば、各々の送信点が送信アンテナを含む複数の送信点によって、複数の出力系列１１３が複数の通信路を介して受信機へ送信されるものとする。この場合、コントローラ１１１は、可変制御信号を循環シフト要素１０７へ提供して循環遅延ダイバーシティを制御し、したがって循環遅延ダイバーシティ・スキームに依存して、結果の周波数ダイバーシティを制御するようにされうる。
【００３３】
本発明の態様によれば、コントローラ１１１は可変制御信号を生成し、循環遅延ダイバーシティを可変伝送条件へ適合化するようにされることができる。
【００３４】
本発明によれば、伝送条件は、受信機で、循環遅延ダイバーシティによって導入された周波数ダイバーシティを利用することによって受信系列を復号するとき、周波数ダイバーシティを導入する循環遅延ダイバーシティがビット誤り率の減少に寄与することができるという事実を反映する。
【００３５】
例えば、コントローラ１１１は、入力系列のコピーがシフトされる第１の値の数、入力系列のコピーがシフトされる第２の値の数を決定し、受信機で復号スキームを使用するとき、どの値の数が、増加されたダイバーシティ符号化利得に対応するかを決定し、その値の数を、より大きいダイバーシティ符号化利得に関連づけられた循環シフト要素１０７へ提供するようにされることができる。
【００３６】
本発明によれば、伝送条件は、更に、符号化率又は符号化スキームを含んでよく、循環遅延ダイバーシティを符号化スキーム又は符号化率へ適合化して、より小さなビット誤り率を有する受信機での復号をサポートする周波数ダイバーシティを導入することができる。
【００３７】
更に、伝送条件は、通信路、例えば、前述した有効通信路の容量を含んでよく、コントローラ１１１は、例えば、複数の通信路の或る状態について値の数を決定し、有効通信路の容量が受信機で観察されるように構成されうる。例えば、コントローラ１１１は、複数の値の数を決定し、各々の値の数について結果の通信路容量を決定し、結果の通信路容量を比較し、最大通信路容量に関連づけられた値の数を循環シフト要素１０７へ提供するようにされることができる。
【００３８】
更に、伝送条件は、符号化率、利用可能な帯域幅、マルチユーザ・シナリオの入力系列によって含まれるユーザ信号の数、送信アンテナ又は受信アンテナの数に関連づけられた送信点又は受信点の数、変調又は復調スキーム、サービス品質要件、又は入力系列の長さを含んでよい。入力系列は、例えば、情報系列を符号化するときに生じる複数の符号語を含み、各々の符号語は或る符号語長を有し、符号語長は、符号化スキームが使用されるときに生じる符号化率に関連づけられる。
【００３９】
例えば、可変伝送条件は、前述した符号化率を含んでよい。この場合、コントローラ１１１は、符号化率に依存して入力系列のコピーがシフトされる値の数を決定し、循環遅延ダイバーシティ及び結果の周波数ダイバーシティを符号化率へ適合化するようにされることができる。例えば、コントローラ１１１は、入力系列のコピーを循環的にシフトさせるときに生じる循環遅延ダイバーシティを制御し、循環遅延ダイバーシティが導入されるときに生じる有効通信路の通信路伝達関数が周波数ダイバーシティへマッチするようにされる。
【００４０】
本発明によれば、循環遅延は、例えば、符号化率Ｒに依存して選択され、最初の通信路が周波数フラットであったと仮定して、等価の周波数定義域通信路がＳ個の異なる状態を有するように選択される。
【００４１】
例えば、循環シフト要素１０７は、或る数の異なる通信路状態が結果の有効通信路伝達関数の中へ導入されるように制御される。ここで、異なる通信路状態の数Ｓは、次の要件が満たされるように選択される。
【数１４】
2008511220.tif 000016
ここで、Ｒは符号化率を表す。好ましくは、Ｓは上記の要件を満たす最小の数、即ち、上界のＲである。
【００４２】
例えば、コントローラ１１１は、異なる符号化率について異なる値の数を含むルックアップ・テーブルから、入力周波数のコピーがシフトされる値の数を決定するようにされることができる。例えば、異なる値の数は事前に決定され、迅速なアクセスを目的としてルックアップ・テーブルの中へ記憶される。
【００４３】
前述したように、コントローラ１１１は、入力系列のコピーがシフトされる値の数を決定し、或る数の異なる通信路状態が有効通信路へ導入されるようにされることができる。有効通信路は、複数の出力系列を複数の通信路へ送信するときに生じる。ここで、伝送条件が、符号化スキームに関連づけられた符号化率を含む場合、異なる通信路状態の数は、前述したように、符号化率に依存するものであってもよい。例えば、コントローラ１１１は、出力系列のコピーがシフトされる値の数を決定し、有効通信路の通信路伝達関数の相関係数の或る数の異なる集合が生じるようにされる。ここで、異なる集合へ属する係数は少なくとも部分的に無相関であり、相関係数の異なる集合の数は通信路状態の数に対応する。例えば、出力系列がシフトされる値の数は、２番目の搬送波の各々が相関され、２番目の副搬送波が一つおきに相関されるように選択される。その結果、相関された副搬送波の２つの集合が生じ、相関された副搬送波は、有効通信路の伝達関数の相関係数に対応する。
【００４４】
本発明の更なる態様によれば、入力系列は、ＮS点周波数−時間変換、例えば、フーリエ変換を使用する周波数−時間変換のマルチキャリヤ系列を含んでよい。例えば、マルチキャリヤ系列は、符号化スキーム、例えば、ブロック符号化スキームを使用して符号化されている情報系列から得られる。この場合、コントローラ１１１は、入力系列のｎ番目のコピーがシフトされる値の数を示す可変制御信号を生成するようにされることができる。ここで、値の数は次式から導出することができる。
【数１５】
2008511220.tif 000017
ここで、Δn-1は、入力系列の（ｎ−１）番目のコピーがシフトされる値の数を表し、Ｓは、例えば、符号化率に依存した異なる通信路状態の数を表す。変数Ｓの好ましい値は、例えば、異なる符号化率について図５で示される。
【００４５】
本発明の更なる態様によれば、可変伝送条件は、有効通信路の容量を含んでよい。有効通信路は、前述したように、複数の通信路を介して複数の出力系列を送信しているときに生じる。
【００４６】
後で示すように、有効通信路の容量は、循環遅延ダイバーシティ・スキームに依存する。言い換えれば、有効通信路の容量は、入力系列のコピーがシフトされる値の数に依存する。好ましくは、コントローラ１１１は値の数を決定し、有効通信路の容量を増加するようにされる。例えば、コントローラ１１１は、通信路容量を決定する発明の手法を使用して値の数を決定するようにされることができる。この手法は、後で説明する。
【００４７】
例えば、コントローラ１１１は、最大公約数が１に等しい値を含む値の集合のみから値の数を決定するようにされる。入力系列のコピーがシフトされる値の数を発見するため、値の数は、値の集合の中の値の他の数を使用しているときに取得可能な通信路容量と比較したときの、例えば、最大通信路容量に関連づけられる。言い換えれば、コントローラ１１１は、値の集合の中の値の集合のみから値の数を決定するようにされる。例えば、通信路容量を増加するために大きな循環遅延が必要であれば、値の集合の中の値の最少数は１よりも大きく、例えば、３又は１５である。
【００４８】
値の集合の中の値は、必ずしも絶対的素数である必要はない。なぜなら、相互に関して素である値も、増加される通信路容量に寄与することが発見されたからである。
【００４９】
しかし、値の集合は、絶対素数値、例えば、３、５、７、１１などを含んでよい。
【００５０】
本発明の更なる態様によれば、伝送条件は通信路状態情報を含んでよい。この場合、コントローラ１１１は、通信路状態情報に基づいて値の数を決定し、通信路状態情報に依存して入力系列のコピーの循環シフトを制御するようにされることができる。これに関連して、通信路状態情報は複数の通信路の各々の状態の通信路状態を示してよく、循環遅延を導入するときに生じる有効通信路の通信路状態情報が決定されることができる。例えば、循環遅延ダイバーシティを導入するときに生じる有効通信路が周波数ダイバーシティを実際に含むことを通信路状態情報が示すならば、入力系列のコピーがシフトされる値の数は、周波数ダイバーシティの或る量のみが結果の有効通信路の中へ追加的に導入されるように選択されることができる。
【００５１】
例えば、コントローラ１１１は、通信路状態情報から有効通信路の周波数ダイバーシティに関する情報を引き出し、増加される周波数ダイバーシティが所与の符号化スキームに有利であるかどうかを検証し、循環シフト要素１０７を制御して、必要なときに周波数ダイバーシティを増加するようにされる。
【００５２】
以下では、発明の概念を一層詳細に説明する。
【００５３】
図９及び図１０の実施形態を再び参照すると、隣接した副搬送波は、依然として無相関である。したがって、最初の通信路の空間ダイバーシティは隣接副搬送波から得られ、最初の通信路の周波数ダイバーシティは、偶数番目及び奇数番目の副搬送波を介する符号化によって取得可能である。
【００５４】
例えば、
【数１６】
2008511220.tif 000018
の循環遅延を選択するならば、（５）の項
【数１７】
2008511220.tif 000019
は、４つの異なる値を取ることができる。即ち、フラット通信路において、結果の周波数定義域通信路Ｈk(m)の４つの異なる通信路状態が観察される。空間ダイバーシティは、４つの隣接副搬送波の上で周波数ダイバーシティへ変換される。
【数１８】
2008511220.tif 000020
については、８つの異なる状態が得られる。以下同様である。
【００５５】
今後、周波数フラット通信路で生じる異なる通信路状態の数をＳで表す。図２ｃは、循環遅延の異なる値についての容量を示す。異なる値は、ｎT＝２の送信アンテナについてＳの異なる値を生じる。Ｓの同じ値は、他の循環遅延によっても取得可能であることに注意されたい。それらの循環遅延の正確な値は、副搬送波の数ＮSに依存する。循環遅延の最適性は、符号化率に依存することが分かる。符号化率が高くなると、最適性能を得るためにＳの値を高くする必要があることが分かる。面白いことに、非常に高い符号化率では、再びＳ＝２が最適となる。
【００５６】
直観的説明は次のとおりである。率Ｒの組織符号及びＳ＝２、例えば、Δ＝ＮS／２を導く循環遅延を考える。異なる通信路状態が２つだけ存在するから、交互の副搬送波が非常に悪い状態にあり、それらの副搬送波の上で送信される記号は本質的にパンクチャされることが起こり得る。ここで、符号化率が１／２よりも高い、即ち、Ｒ≧１／２とすれば、例えば、全てのパリティ・ビット及び幾つかの組織ビットがパンクチャされ、符号は誤りなしに検出され得ない。同様に、Ｓ＝４の場合、率Ｒ＞３／４の組織符号は適切でない。
【００５７】
送信アンテナが多くなると、類似するがそれほど明確でない振る舞いが観察される。ｎT＝４の送信アンテナの容量結果は、図３ａに示される。ここで、Δn＝Δn-1＋ＮS／４、即ち、Δ＝［０，１６，３２，４８］に従った循環遅延は、符号化率Ｒ＜３／４について既に最適に及ばない。しかし、依然として、Ｒ＝３／４での特性ブリップ、即ち、１．５ビット／通信路使用の相互情報量が観察される。最適性能に近い良好な解決法は、互いに素の循環遅延、例えば、Δ＝［０，３，５，７］を選択することのように思われる。ＮS＝６４に対する最良性能は、Δ＝［０，１５，３１，４３］であることが発見された。これは、互いに素の大きな遅延を選択すべきことを示す。Ｓ＝４の異なる通信路状態を生じる循環遅延［Δ1，Δ2，Δ3，Δ4］＝［０，ＮS／４，ＮS／２，３ＮS／２］は、容量に関して最適ではないが、G.Bauch and J.S.Malik:Parameter optimization,interleaving and multiple access in OFDM with cyclic delay diversity,IEEE Vehicular Technology Conference(VTC),May 2004、G.Bauch and J S.Malik:Orthogonal frequency division multiple access with cyclic delay diversity,ITG Workshop on Smart Antennas,March 2004,and J.S.Malik:Cyclic delay diversity in OFDM,master thesis,Department of Communications Engineering,TU Munich,October 2003で開示されるように、限定された制約長を有する符号の符号化率Ｒ≦３／４について最適のＦＥＲを得ることが示された。
【００５８】
更に、これらの遅延は、G.Bauch:Multi-stream differential modulation for cyclic delay diversity in OFDM,IEEE International Conference on Communications(ICC),June 2004で示されるように、差分変調を有する循環遅延ダイバーシティに適している。
【００５９】
本発明者らはＢＰＳＫ及びＱＰＳＫ変調についてのみ例を与えるが、前述した効果は具体的な変調方法から独立であることが検証された。
【００６０】
以下では、考察された通信路モデルを説明する。
【００６１】
通信路係数は独立複素ガウス型確率変数であると仮定する。通信路はＯＦＤＭ記号の伝送中に安定であり、十分に長い保護区間の場合、搬送波間の干渉は起こらないと仮定する。電力遅延スペクトルの吟味されたタイプは、図２ｃに要約される。ここでＴSは時間定義域標本間隔を表す。加法的白色ガウス型雑音が、各々の受信アンテナで加えられる。タイムスロット当たりの総送信エネルギーはＳS、即ち、各々のアンテナから送信されるサブシンボル当たりのエネルギーで表される。
【００６２】
図２ａは、ガウス型送信記号を有する周波数フラット通信路における２つの送信アンテナについての、集合当たりの１つの容量を示す。１つの受信アンテナの場合、循環遅延は、僅かな劣化を示す３２の循環遅延を除いて同じ容量を生じる。２つの受信アンテナの場合、この効果は消滅する。比較のために、本発明者らは１つ及び２つの送信アンテナの場合について、通信路自体の容量を含めた。１つの送信アンテナの場合、循環遅延ダイバーシティはほとんど２つの送信アンテナの通信路容量を達成し、単一送信アンテナ方式よりも著しいダイバーシティ利点を示す。２つの受信アンテナの場合、単一送信アンテナ方式よりも明確なダイバーシティ利得が依然として存在する。しかし、転移ダイバーシティ・スキームは、複数受信アンテナの場合に通信路容量へ達することができないので、２つの送信アンテナの場合の通信路容量と比較して劣化が存在する。この劣化は、容量曲線の異なった漸近線傾斜から生じる。
【００６３】
図３ｂは、２つの送信アンテナの場合の周波数選択通信路の性能を証明する。この図において、Ｄよりも大きいΔ2を満足させる全ての循環遅延は類似の性能を示す。図３ｂは、更に、循環遅延が最大通信路遅延よりも大きく選択される必要があることを例証する。そうでなければ、有効時間定義域通信路は分解不可能タップを含む。この分解不可能タップは、異なる送信アンテナからのタップの合計から構成され、低減されたダイバーシティ・レベルを生じる。
【００６４】
本発明は、更に、処理スキームを使用して情報系列を処理し、入力系列を取得するプロセッサを含む送信装置、及び前述したように、入力系列から複数の出力系列を生成して循環ダイバーシティを取得する装置を提供する。
【００６５】
好ましくは、各々の送信点が送信アンテナを含み、複数の送信点によって送信されるべき複数の出力系列を生成する装置は、コントローラを含む。このコントローラは、循環シフト要素を制御して、循環シフト要素のコピーがシフトされる値の数を処理スキームへ適合化する。この文脈において、処理スキームは、前述した伝送条件の任意のものを含んでよい。
【００６６】
例えば、プロセッサは、符号化スキームを使用して情報系列を符号化する符号器を含む。ここで、複数の出力系列を生成する装置によって含まれるコントローラ（例えば、コントローラ１０７）は、前述したように、入力系列のコピーがシフトされる値の数を制御して、循環遅延ダイバーシティを符号化スキームへ適合化するようにされる。例えば、符号化スキームは符号化率に関連づけられる。この場合、コントローラは、符号化率に依存して入力系列のコピーがシフトされる値の数を制御するようにされることができる。更に、本発明の更なる態様に従って、コントローラは、符号器を制御して、伝送条件、例えば、前述した伝送条件の１つ、例えば、通信路状態情報、サービス品質などに依存して情報系列を符号化するために使用される符号化スキームを決定するようにされることができる。復号スキームが決定された後、コントローラは、符号化スキームに依存して値の数を決定し、前述したように、入力系列のコピーを循環的に遅延させる手段によって付加的周波数ダイバーシティを導入するとき、例えば、符号化率を考慮に入れるようにされることができる。
【００６７】
情報系列を符号化する符号器によって使用されるべき符号化スキームを決定するため、コントローラは、所与の通信路状態のために適切な符号化スキームを提供する任意の公知の解決法を参照することができる。
【００６８】
本発明によれば、コントローラは、循環遅延ダイバーシティ・スキームによって導入される異なる通信路状態の数Ｓに依存して符号化率Ｒを決定するようにされることができる。例えば、コントローラは、次の要件が満足されるようなＲを決定するようにされることができる。
【数１９】
2008511220.tif 000021
【００６９】
本発明の更なる態様によれば、プロセッサは、符号化スキームを使用して情報系列を符号化し、符号化された系列を取得する符号器、値の各々のストリームについて、値のストリームの数を示す制御信号に応答して、符号化された系列を値の或る数のストリームへ逆多重化するデマルチプレクサ、及びマッピング・スキーム、例えば、ＱＡＭ（ＱＡＭ＝直交振幅変調）に従って値のストリームのグループを記号へマッピングし、記号の或る数のストリームを取得するマッパを含んでよい。更に、送信装置は、記号の各々のストリームの或る数の連続した記号を、連続した副搬送波の異なる集合へ割り当てて、周波数定義域におけるマルチキャリヤ信号を取得する割り当て器を含んでよい。
【００７０】
送信されるべき入力系列を取得するため、送信機は、マルチキャリヤ信号を変換して入力系列を取得する周波数−時間変換器、例えば、逆フーリエ変換器を含んでよい。入力系列は、複数の出力系列を生成する発明の装置によって複数の出力系列を提供する基礎として役立つ。例えば、複数の送信系列（出力系列）を生成する装置によって含まれるコントローラは、提供されるべき値のストリームの数を示す制御信号をデマルチプレクサへ提供するようにされることができる。ここで、値のストリームの数は、符号化スキームに依存する。例えば、値のストリームの数は、或る符号化スキームを使用するときに生じる符号化率と密接に関連し、例えば、符号語の長さに対応する。前述した発明の概念を組み込んだ送信機装置の実施形態は、図４に示される。
【００７１】
図４の送信機装置は、符号器４０１、例えば、ＦＥＣ符号器（ＦＥＣ＝順方向誤り訂正）を含む。符号器４０１は、入力４０３、制御入力４０５、及び出力４０７を有する。出力４０７はスイッチ４０９へ結合され、スイッチ４０９は、単なる例として、前述したデマルチプレクサを表す。
【００７２】
スイッチ４０９は或る数の出力を有する。出力の数は、前述したストリームの数Ｓに対応する。ここで、各々の出力は、Ｓ個の信号処理通路の中の１つの信号処理通路に関連づけられる。各々の信号処理通路は、スイッチ４０９の出力とマッパ４１３との間に結合されたインタリーバ４１１を含む。各々のマッパ４１３は、出力を有する。ここで、マッパ４１３のＳ個の出力は割り当て器４１５へ結合される。割り当て器４１５は、ＩＦＦＴ変換器４１７（ＩＦＦＴ＝逆高速フーリエ変換）の複数の入力へ結合された複数の出力を有する。ＩＦＦＴ変換器は、複数の出力系列（送信系列）を生成する発明の装置４１９の入力へ結合された出力を有する。
【００７３】
発明の装置４１９は、ＩＦＦＴ変換器４１９によって提供された入力系列の複数のコピーを提供する複写器を含む。ここで、複写器はノードによって表される。入力系列の最初のコピーを除いて、入力系列の全ての他のコピーは、発明の装置４１９によって含まれる制御可能な循環シフト要素４２１を使用してシフトされる。
【００７４】
各々の出力系列は保護挿入区間４２３（ＧＩ）へ提供され、保護区間、例えば、ＯＦＤＭ伝送スキームに従った循環プレフィックスが挿入される。各々の保護区間要素４２３は、完結のために図４で示されるように、アンテナに関連づけられる。
【００７５】
図４に示される装置は、更に、レート適合化ユニット４２５を含む。レート適合化ユニット４２５は、前述した発明のコントローラの機能を含む。
【００７６】
具体的には、図４で示されるように、レート適合化ユニット４２５は、符号器４０５を制御して、符号化率Ｒに関連づけられて符号器４０５によって使用される符号化スキームを決定し、及び／又はスイッチ４０９を制御してストリームの数Ｓを決定し、及び／又は循環遅延、即ち、入力系列のコピーがシフトされる値の数を制御するようにされることができる。
【００７７】
符号器４０２は、例えば、一般的状態情報（ＣＳＩ）、サービス品質（ＱｏＳ）、又は他の伝送条件を含む伝送条件に依存して符号器４０１を制御し、及び／又はスイッチ４０９を制御し、及び／又は循環遅延要素４２１を制御する制御信号を生成するようにされることができる。ここで、伝送条件は、発明の送信機によって含まれる更なる制御エンティティからの制御入力４２７を介してレート適合化ユニット４２５へ提供されることができる。前記更なるエンティティは、例えば、全体の伝送処理を制御するようにされる。
【００７８】
図５で示されるように、情報ビットは、フォワード誤り制御（ＦＥＣ）符号の符号器によって符号化される。符号ビットはＳ個のストリームへ逆多重化される。各々のストリームの中で、ビット・インタリーバΠ(s)の集合によって、任意的なインタリーブが実行される。次に、インタリーブされた符号ビットは、ディジタル変調スキーム、例えば、ＱＡＭ、ＰＳＫ、又は差分変調スキームのマッピング規則に従って送信記号の上にマップされる。送信記号は、副搬送波割り当てユニットΠfによって、マルチキャリヤ変調スキーム、例えば、ＯＦＤＭの副搬送波の上にマッピングされる。ＯＦＤＭ変調は、逆高速フーリエ変換（ＩＦＦＴ）によって実行される。結果の時間定義域標本は、ｎT個のアンテナから同時に送信される。ここで、各々のアンテナｎは、前述したように、循環遅延Δnを導入する。
【００７９】
符号化率Ｒは、規準、例えば、現在の通信路状態又は要求されるサービス品質に基づいて、レート適合化ユニットから決定される。レート適合化ユニットは、更に、循環遅延Δn及びインタリーバ・ストリームの数Ｓを決定する。循環遅延及びＳを選択するため、３つの方法がある。
【００８０】
方法１：符号化率から独立した循環遅延
循環遅延は、符号化率から独立して選択される。循環遅延は、次式に従って選択される。
【数２０】
2008511220.tif 000022
ここで、Ｇは保護区間ＧＩの長さである。ストリームの数は、好ましくはＳ＝１である。
【００８１】
方法２：符号化率から独立した互いに素の循環遅延
循環遅延は、符号化率から独立して選択される。循環遅延は、次のように選択される。
【数２１】
2008511220.tif 000023
ここで、Ｇは保護区間ＧＩの長さであり、全てのΔnは相互及びＦＥＴサイズＮSに対して素である。大きな遅延が好ましい。より緩やかな条件は、全てのΔnではなく、それらの少なくとも幾つかが互いに素である。ストリームの数は、好ましくはＳ＝１である。
【００８２】
方法３：レートに依存した循環遅延の選択
循環遅延は、符号化率Ｒに依存して選択される。具体的には、最初の通信路が周波数フラットであったと仮定して、等価の周波数定義域通信路がＳ個の異なる状態を有するように、循環遅延が選択される。Ｓの値は図５から得られる。
【００８３】
異なる通信路状態の或る数Ｓを循環遅延が取得するためには、幾つかの可能性が存在する。送信アンテナが偶数ｎTである場合、次式に従って循環遅延を選択するのがよい。
【数２２】
2008511220.tif 000024
【００８４】
しかし、次の条件を満足させなければならない。
【数２３】
2008511220.tif 000025
ここで、Ｄは、前述した通信路メモリである。
【００８５】
レート適合化ユニットは、規準、例えば、通信路状態又はＱｏＳに依存して、符号化率を選択する。レート適合化ユニットは、符号化率に依存して、送信アンテナの所与の数ｎTに可能なＳの最小値を図５から選択する。循環遅延は、Ｓ個の異なる通信路状態がフラットフェージング通信路を生じるように決定される。
【００８６】
任意的に、符号ビットがＳ個のストリームへ逆多重化されるように、インタリーブ・スキームも修正される。各々のストリームは、並べ替え規則Π(S)に従って任意的なインタリーブを実行する。次に、並べ替えられたビットは、ディジタル変調方法、例えば、ＱＡＭ又はＰＳＫの複素配置要素の上にマッピングされる。各々のストリームの中で、差分変調も可能である。
【００８７】
送信記号は、副搬送波割り当てユニットΠfによって副搬送波の上にマッピングされる。これは、特定のストリームｓの記号が、フラットフェージング通信路内の同じ通信路状態に対面する副搬送波へ割り当てられるように行われる。これは、図９で示されるようにして達成される。図９では、Ｓ個のストリームの記号が、Ｓ個の隣接した副搬送波へ割り当てられる。サイズＳのグループの付加的周波数インタリーブが可能である。
【００８８】
受信機は、現在の符号化率及びストリームの数を通知される。本質的には、受信機が符号化率Ｒを通知されるならば十分である。受信機は、受信機に記憶されたルックアップ・テーブルから、符号化率に基づいて循環遅延を決定することができる。受信機は、送信機の逆の動作を実行する。即ち、ＦＦＴの後、逆マッピング・ユニットが受信記号をビットへ逆マッピングする。好ましくは、軟値、例えば、対数尤度比が計算される。逆マッパのこれらの出力値は、Ｓ個のストリームの各々の中で逆インタリーブされる。Ｓ個のストリームは多重化され、ＦＥＣ復号器へ送られる。
【００８９】
前述したように、循環遅延ダイバーシティを更に受信機へ導入して、結果の有効通信路の周波数選択性を増加することができる。
【００９０】
したがって、前述した全ての実施形態は、受信機の中でも使用され、受信機側の循環遅延ダイバーシティを導入することができる。
【００９１】
本発明は、更に、複数の入力系列、例えば、ｎT個の入力系列から、出力系列を生成して循環遅延ダイバーシティを得る装置を提供する。複数の入力系列は、複数の受信点に関連づけられることができる。各々の受信点は受信アンテナを含み、受信点は、通信路を介して送信されている送信系列の異なる受信バージョンを提供するようにされる。
【００９２】
発明の装置は、Ｔ個の入力系列を可変的及び循環的にシフトしてｎT−１個のシフトされた系列を取得するｎT−１個の循環シフト要素を含む。ここで、各々の循環シフト要素は、入力系列がシフトされる値の数を示す可変制御信号を受け取り、可変制御信号に応答して、値の数だけ入力系列を循環的にシフトするようにされる。更に、装置は加算器を含む。この加算器は、ｎT−１個のシフトされた系列及び最初の入力系列又はそのシフトされたバージョンを加えて出力系列を得る。
【００９３】
出力系列を生成する装置はコントローラを含んでよい。このコントローラは前述した機能を有し、シフト要素を制御して、前述したように、例えば、伝送条件に依存して循環遅延ダイバーシティを調整する。
【００９４】
更に、出力系列を生成する装置は、受信機、例えば、マルチキャリヤ受信機の中で使用されることができる。このマルチキャリヤ受信機は、例えば、前述した発明の送信装置によって提供されている信号を受信するようにされている。言い換えれば、受信機は、前述した送信装置の機能とは逆の機能を含む。
【００９５】
本発明は、更に、受信系列から情報系列の受信バージョンを提供する受信機装置を提供する。受信系列は、複数の通信路を介して送信されている複数の送信系列の重ね合わせを含む。送信系列は、入力系列のコピーを値の数だけ循環的にシフトすることから生じ、入力系列は、マルチキャリヤ信号を周波数−時間変換することから生じ、マルチキャリヤ信号は、連続した副搬送波の異なる集合を含み、連続した副搬送波の各々の集合は、或る数の記号ストリームの中の１つの記号ストリームの或る数の連続した記号を、連続した副搬送波へ割り当てることから生じ、１つの記号ストリームは、マッピング・スキーム、例えば、ＱＡＭに従って、値のストリームのグループを記号の上にマッピングすることから生じ、或る数のストリーム又は値は、符号化された系列を値の或る数のストリームへ逆多重化することから生じ、符号化された系列は、符号化スキームを使用して符号化されている情報系列を含む。言い換えれば、受信系列は、前述した発明の送信装置によって生成されている送信系列の受信バージョンである。
【００９６】
受信系列を受け取って処理するため、受信装置は、符号化スキームに関する情報を提供して、送信機で使用された処理スキームとは逆の処理スキームを使用して受信系列を再処理する手段を含む。
【００９７】
更に、受信装置は、受信系列を変換系列へ変換する時間−周波数変換器、例えば、フーリエ変換器を含む。
【００９８】
更に、受信装置は、時間−周波数変換器の複数の出力へ結合された再割り当て器を含む。再割り当て器は、図４で示された割り当て器４１５の動作とは逆の動作を実行するようにされる。
【００９９】
再割り当て器はＳ個の出力を有し、各々の出力は逆マッパへ結合される。各々の逆マッパは逆インタリーバへ結合される。逆マッパ及びインタリーバは、単なる例として図４で示されたマッパ４１３及びインタリーバ４１１によって実行される動作とは逆の動作を実行するようにされる。インタリーバ４１１及び逆インタリーバは任意であることに注意すべきである。
【０１００】
Ｓ逆マッパのＳ個の出力はマルチプレクサへ結合される。マルチプレクサは、復号器によって復号される系列へデータを多重化し、情報系列の受信バージョンを取得するようにされる。
【０１０１】
更に、符号化スキームに関する情報を提供する手段は、符号化スキームからストリームの数Ｓを引き出して再割り当て器４１５を制御し、逆マッピングされるＳ個のストリームを取得するようにされることができる。
【０１０２】
追加的に、受信装置は通信路推定器を含んでよい。通信路推定器は、有効通信路の推定値から複数の通信路を推定するようにされる。有効通信路によって含まれた複数の通信路の推定値を取得するため、通信路推定器は、現在使用されている循環遅延に関する情報を必要とするかも知れない。この情報は、符号化スキームに関する情報を提供する手段によって提供可能である。更に具体的には、単なる例として、符号化スキームに関する情報を提供する手段は符号化率から数Ｓを引き出し、数Ｓを使用して、使用された循環遅延を引き出すようにされることができる。
【０１０３】
循環遅延ダイバーシティの容量は、等価の周波数選択単入力多出力（ＳＩＭＯ）通信路の周波数定義域表現（５）から計算可能である。副搬送波ｄについて、ＳＩＭＯ通信路の通信路係数は、ｎr×１の行列
【数２４】
2008511220.tif 000026
の中に集められ、十分に長い保護区間の長さは、Ｇ≧Ｄであると仮定する。こうして、通信路実現Ｈkのために、送信機では通信路状態情報（ＣＳＩ）を有しないが受信機では完全なＣＳＩを有する循環遅延ダイバーシティの容量は、次式によって与えられる。
【数２５】
2008511220.tif 000027
【０１０４】
通信路の時間分散に依存して、異なる容量概念が意味を有する。即ち、エルゴード通信路において、容量は次式によって与えられる。
【数２６】
2008511220.tif 000028
ここで、
【数２７】
2008511220.tif 000029
は、Ｈkに関する期待値を表す。このエルゴード性容量は、各々の符号語が全ての可能な通信路状態、即ち、高速フェージング通信路に対面することを意味する。エルゴード性容量は、空間ダイバーシティ手法の評価に適した損失である。暗黙の時間ダイバーシティは、既に無限のダイバーシティ・レベルを提供する。結果として、付加的空間ダイバーシティから容量の利点は見出されない。ダイバーシティに関する更に有用な見解は、目減り容量である。これは、ゆっくりと時間変動する通信路を意味し、各々の符号語は１つだけの通信路状態に対面する。更に正確には、準静的通信路モデルを使用する。即ち、通信路はブロックの伝送中に一定であると仮定され、１つのブロックから次ぎのブロックへ独立に変化する。ｘ％の目減り容量Ｃkは、通信路実現の（１００−ｘ）％を保証される容量である。即ち、ｘ％の目減りが期待される。
【０１０５】
容量はガウス型送信記号を意味する。しかし、現実世界のシステムにおいて、送信記号はＭ−ＱＡＭ又はＭ−ＰＳＫ配置から取られる。送信記号アルファベット上のこの制約を考慮に入れて、容量又は相互情報量は、それぞれ有効周波数定義域通信路の特定の実現
【数２８】
2008511220.tif 000030
について、Ｍ項周波数定義域送信記号ｘ（ｄ）＝［ｘ0（ｄ），ｘ1（ｄ），．．．］と受信記号ｙ（ｄ）との間の条件付き相互情報用一般公式を使用して計算可能である。
【数２９】
2008511220.tif 000031
ここで、Ｈ（ｘ）及び
【数３０】
2008511220.tif 000032
は、それぞれエントロピ及び条件付きエントロピを表し、ｙ（ｄ）、ｙ（ｄ）、及び
【数３１】
2008511220.tif 000033
は、それぞれ副搬送波ｄの送信記号、受信記号、及びＳＩＭＯ通信路を意味する。
【０１０６】
送信記号ｘtは、同程度に確からしいと仮定される。即ち、エントロピは次式によって与えられる。
Ｈ（ｘ（ｄ））＝ｌｏｇ2Ｍ
【０１０７】
条件付きエントロピは、次式から得られる。
【数３２】
2008511220.tif 000034
ここで、
【数３３】
2008511220.tif 000035
はｘt（ｄ）及びｙ（ｄ）に関する期待値を表し、次式が与えられる。
【数３４】
2008511220.tif 000036
【０１０８】
ガウス型送信記号の容量の場合と同じように、エルゴード性の又は減量時の（ｏｕｔａｇｅ）相互情報量を解析することができる。
【０１０９】
モデム無線通信方式は適応形ＦＥＣ符号化及び変調を使用するので、符号化率及び変調形式は、現在の通信路状態又はサービス品質（ＱｏＳ）のような要件に依存して適応形に選択される。したがって、本発明は、適応形循環遅延ダイバーシティ・スキームを提供する。このスキームは、例えば、現在の符号化率に従って、最適の循環遅延を使用する。
【０１１０】
したがって、発明のインタリーブ・スキームも、完全な空間ダイバーシティを提供するように適応可能である。
【０１１１】
本発明は、更に、循環遅延が符号化率から独立に選択され、全ての符号化率のために容量の点でスキームが最適となるようにする方法を提供する。
【０１１２】
本発明によれば、循環遅延はＦＥＣ符号の符号化率に依存して選択される。発明のスキームは、現在の符号化率について最適である最少の数の隣接副搬送波の間で、空間ダイバーシティを周波数ダイバーシティへ変換する。これは、限定された制約長の符号を使用する適応形符号化を有する方式で、最適のＦＥＲ性能を生じる。
【０１１３】
発明の循環遅延ダイバーシティ・スキームは、単一アンテナ方式と比較して、受信機の複雑性を増加することなく、符号化ＯＦＤＭ方式における空間ダイバーシティの利用を可能にする。更に、保護区間の範囲を越える必要はない。更に、選択された符号化率へ循環遅延を適合化し、各々の符号化率について最適循環遅延を選択することによって、適合形符号化率がサポートされる。更に、循環遅延の提案された適応形選択によって、周波数定義域における差分変調がサポートされる。
【０１１４】
本発明は、更に、送信機装置に複数の送信系列を提供する。送信機装置は、符号化スキームを使用して情報系列を符号化し、符号化された系列を取得する符号器、値のストリームの数を示す制御信号に応答して、符号化された系列を、ある値の数のストリームへ逆多重化するデマルチプレクサ、値のストリームのために、好ましくは、値の各々のストリームのために、マッピング・スキームに従ってストリーム値のグループを記号の上にマッピングし、ある記号の数のストリームを取得するマッパ、記号の各々のストリームについて、ある数の連続した記号を、連続した副搬送波の異なる集合へ割り当てて、マルチキャリヤ系列を取得する割り当て器、マルチキャリヤ系列のある数のコピーを提供する複写器、マルチキャリヤ系列のコピーのために、可変の位相偏移をマルチキャリヤ系列のコピーへ導入してマルチキャリヤ系列の位相偏移されたコピーを取得する可変位相偏移要素、マルチキャリヤ系列の位相偏移されたコピーのために、複数の送信系列の中の１つの送信系列を取得する周波数−時間変換器、ストリームの数を示す制御信号、又は、伝送条件、例えば、符号化率に依存してマルチキャリヤ系列のコピーの中へ導入されるべき可変位相偏移を示す制御信号を提供するコントローラを含む。
【０１１５】
更に、コントローラは、マルチキャリヤ信号のコピーの数を示す制御信号を提供するようにされることができる。ここで、複写器は、制御信号に応答してマルチキャリヤ信号のある数のコピーを生成するようにされる。
【０１１６】
本発明によれば、複数の送信系列の中の各々の送信系列は、ある数の送信点の中の異なる送信点、例えば、送信アンテナを含む送信点によって送信されるべきである。送信点の数は、送信系列の数に等しい。したがって、装置は、送信系列を送信するある数の送信点を含んでよい。
【０１１７】
例えば、装置は、マルチキャリヤ系列のコピーの数よりも小さいか等しい数の位相偏移要素を含む。例えば、最初の送信系列は、マルチキャリヤ系列の偏移されないバージョンに対応することができる。この場合、位相偏移要素の数は、マルチキャリヤ系列のコピーの数よりも小さい。しかし、位相偏移要素の数は、マルチキャリヤ系列のコピーの数に等しくてよく、位相偏移をマルチキャリヤ系列の各々のコピーの中へ導入することができる。
【０１１８】
本発明によれば、送信装置は、図４に関して説明した装置の完全な機能を含む。具体的には、符号器、デマルチプレクサ、マッパ、割り当て器、及びコントローラは、前述した対応する要素、例えば、図４に関して説明した対応する要素の機能を含む。
【０１１９】
本発明によれば、装置は、位相偏移手段によって周波数ダイバーシティを導入するようにされる。ここで、可変の位相偏移は、前述した可変循環遅延に対応する。時間定義域内の循環遅延は、周波数定義域内である位相偏移を導入するので、発明の可変循環遅延ダイバーシティ・スキームは、可変位相偏移スキームによって置換されることができる。ここで、可変位相偏移は、前述した循環シフトの周波数定義域表現である。
【０１２０】
更に、発明の方法のある一定の実現要件に依存して、発明の方法はハードウェア又はソフトウェアで実現可能である。実現は、ディジタル記憶メディア、具体的には、電子的に読み取り可能な制御信号を記憶したディスク又はＣＤを使用して達成可能である。ディジタル記憶メディアはプログラム可能コンピュータ・システムと協力して、発明の方法が達成されるようにする。したがって、一般的に、本発明は、機械読み取り可能担体に記憶されたプログラム・コードを有するコンピュータ・プログラムプロダクトであり、プログラム・コードは、コンピュータ・プログラムプロダクトがコンピュータ上で実行するとき、発明の方法の少なくとも１つを達成するようにされる。したがって、言い換えれば、発明の方法はコンピュータ・プログラムであり、このコンピュータ・プログラムは、コンピュータ上で実行するとき、発明の方法を達成するプログラム・コードを有する。
【図面の簡単な説明】
【０１２１】
【図１】本発明の実施形態に従って複数の出力系列を生成する装置を示す。
【図２】発明の循環遅延ダイバーシティ解決法の性能を例証する。
【図３】発明の循環遅延ダイバーシティ解決法の性能を例証する。
【図４】本発明の実施形態に従った送信装置を示す。
【図５】発明の循環遅延を決定するために使用される好ましいパラメータを示す。
【図６】符号化ＯＦＤＭで循環遅延ダイバーシティを使用する送信機のブロック図を示す。
【図７】符号化ＯＦＤＭで循環遅延ダイバーシティを使用する受信機のブロック図を示す。
【図８】循環遅延ダイバーシティによる通信路の変換を例証する。
【図９】循環遅延ダイバーシティが使用されるときに生じる通信路周波数応答の実施形態を示す。
【図１０】循環遅延ダイバーシティの実施形態の相関関数を示す。
【図１１】循環遅延ダイバーシティの更なる実施形態の相関関数を示す。
【図１】
2008511220.tif 000039
【図２ａ】
2008511220.tif 000040
【図２ｂ】
2008511220.tif 000041
【図２ｃ】
2008511220.tif 000042
【図３ａ】
2008511220.tif 000043
【図３ｂ】
2008511220.tif 000044
【図４】
2008511220.tif 000045
【図５】
2008511220.tif 000046
【図６】
2008511220.tif 000047
【図７】
2008511220.tif 000048
【図８】
2008511220.tif 000049
【図９】
2008511220.tif 000050
【図１０】
2008511220.tif 000051
【図１１】
2008511220.tif 000052
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
入力系列から複数の出力系列を生成して循環的遅延ダイバーシティを得る装置であって、
数の出力系列の中の１つの出力系列を得るために入力系列の複数のコピーを提供する複写器と、
入力系列のコピーを可変的及び循環的にシフトさせる循環シフト要素と
を含み、
循環シフト要素が、入力系列のコピーをシフトさせるシフト幅を表す値の個数を示す可変制御信号を受け取り、該可変制御信号に応答して、該値の個数だけ入力系列のコピーを循環的にシフトするようにされ、
複数の出力系列が、複数の送信点によって、複数の可変の通信路を介して送信され、
循環遅延ダイバーシティを可変の伝送条件へ適合化するために可変制御信号を生成するようにされるコントローラが含まれ、
可変伝送条件が符号化率を含み、コントローラは、符号化率に依存して入力系列のコピーがシフトされる値の個数を決定するようにされる、装置。
【請求項２】
可変伝送条件が、ダイバーシティ符号化利得、符号化率、符号化スキーム、通信路の容量、通信路状態情報、循環遅延ダイバーシティを導入するときに生じる有効通信路の容量、ビット誤り率、利用可能な帯域幅、マルチユーザ・シナリオで入力系列に含まれるユーザ信号の数、送信点の数、受信点の数、変調または復調スキーム、サービス品質要件、又は入力系列の長さを含む、請求項１に記載の装置。
【請求項３】
可変伝送条件が、異なる符号化率を含み、コントローラが、異なる符号化率の上界の符号化率に依存して入力系列のコピーがシフトされる値の個数を決定するようにされる、請求項１または２に記載の装置。
【請求項４】
伝送条件が符号化率であり、コントローラが、異なる符号化率に対しては異なる値の個数を含むルックアップ・テーブルから、入力系列のコピーがシフトされる値の個数を決定するようにされる、請求項１から３に記載の装置。
【請求項５】
前記入力系列が、符号化スキームを使用して符号化された情報系列を処理することから生じ、可変伝送条件が、前記符号化スキームに関連づけられた符号化率Ｒであり、コントローラが、前記値の個数を決定して、ある数の異なる通信路状態が有効通信路へ導入されるようにされ、複数の通信路を介して複数の出力系列を送信するとき有効通信路が生じ、次式、
【数１】
2008511220.tif 000053
の要件が満足されるように、異なる通信路状態の数Ｓが選択される、請求項１から４のいずれかに記載の装置。
【請求項６】
通信路状態の数が、有効通信路の伝達関数の相関係数の異なる集合の数を決定し、異なる集合に属する係数が、少なくとも部分的に無相関である、請求項５に記載の装置。
【請求項７】
前記入力系列が、ＮS点周波数−時間変換を使用して周波数−時間変換されているマルチキャリヤ系列を含み、該マルチキャリヤ系列は符号化スキームを使用して符号化されている情報系列から得られ、
入力系列のｎ番目のコピーがシフトされる値の個数を示す可変制御信号を生成するコントローラを含み、
該値の個数が、次式、
【数２】
2008511220.tif 000054
から導出され、ここで、Δn-1が入力系列の（ｎ−１）番目のコピーがシフトされる値の個数を表し、Ｓが、異なる通信路状態の数を表す、請求項１から６のいずれかに記載の装置。
【請求項８】
前記可変伝送条件が有効通信路の容量を含み、該有効通信路は複数の通信路を介して複数の出力系列を変換するときに生じ、該有効通信路の容量は、入力系列のコピーがシフトされる値の個数に依存し、コントローラは、有効通信路の容量が増加されるべく該値の個数を決定するようにされている、請求項１から７のいずれかに記載の装置。
【請求項９】
コントローラが、最大公約数が１に等しい値を含む値の集合のみから値の個数を決定するようにされる、請求項８に記載の装置。
【請求項１０】
コントローラを含み、該コントローラが、通信路状態情報に基づいて値の個数を決定し、通信路状態情報に依存して入力系列のコピーの循環シフトを制御するようにされる、請求項１から９のいずれかに記載の装置。
【請求項１１】
処理スキームを使用して情報系列を処理して、入力系列を得るプロセッサと、
該入力系列から複数の出力系列を生成して循環遅延ダイバーシティを得て、複数の出力系列が複数の送信点によって送信される、請求項１から１０のいずれかに記載の装置と
を含み、複数の出力系列を生成する装置がコントローラを含み、該コントローラが循環シフト要素を制御して、入力系列のコピーがシフトされるシフト幅を表す値の個数を処理スキームへ適合化する、送信機装置。
【請求項１２】
プロセッサが、符号化スキームを使用して情報系列を符号化する符号器を含み、コントローラが、入力系列のコピーをシフトさせる値の個数を制御して循環遅延ダイバーシティを符号化スキームへ適合化するようになされる、請求項１１に記載の装置。
【請求項１３】
符号化スキームが符号化率に関連づけられ、コントローラが、該符号化率に依存して入力系列のコピーをシフトされる値の個数を制御するようにされる、請求項１２に記載の送信機装置。
【請求項１４】
コントローラが、伝送条件に依存して符号化スキームを決定し、符号化スキームに依存して前記値の個数を決定するようにされる、請求項１２又は１３に記載の装置。
【請求項１５】
プロセッサが、
ある符号化スキームを使用して前記情報系列を符号化し、符号化されたある系列を得る符号器と、
値のストリームの数を示す制御信号に応答して、前記符号化された系列を前記数の値のストリームへ逆多重化するデマルチプレクサと、
値のストリームの各々について、あるマッピング・スキームに従ってストリーム値のグループを記号の上にマッピングして記号のストリームの前記数を得るマッパと、
記号の各々のストリームのある数の連続した記号を、連続した副搬送波の異なる集合へ割り当てて、マルチキャリヤ信号を得る割り当て器と、
マルチキャリヤ信号を変換して入力系列を得る周波数−時間変換器と
を含み、コントローラが、符号化スキームに依存する値のストリームの数を示す制御信号を提供するようにされる、請求項１１から１５のいずれかに記載の送信機装置。
【請求項１６】
ｎT個の入力系列から出力系列を生成して循環遅延ダイバーシティを得て、入力系列が、複数の受信点によって、複数の可変通信路を介して受け取られる装置であって、
可変制御信号を生成して循環遅延ダイバーシティを可変伝送条件へ適合化するようにされ、また符号化率に依存して入力系列のコピーをシフトさせる値の個数を決定するようにされ、可変伝送条件が符号化率を含むコントローラと、
ｎT−１個の入力系列を可変的及び循環的にシフトしてｎT−１個のシフトされた系列を得るｎT−１個の循環シフト要素であって、その各々が、入力系列をシフトさせる値の個数を示す可変制御信号を受け取り、該可変制御信号に応答して、該値の個数だけ入力系列を循環的にシフトするようにされる循環シフト要素と、
ｎT−１個のシフトされた系列及び最初の入力系列又はそのシフトされたバージョンを加えて出力系列を得る加算器と
を含む装置。
【請求項１７】
ある入力系列から複数の出力系列を生成して循環遅延ダイバーシティを得て、複数の出力系列が、複数の送信点によって、複数の可変通信路を介して送信される方法であって、
入力系列の複数のコピーを提供するステップと、
循環遅延ダイバーシティを可変伝送条件へ適合化するために可変制御信号を生成するステップであって、可変伝送条件が符号化率を含み、符号化率に依存して入力系列のコピーをシフトさせる値の個数を決定するステップを含む、生成するステップと、
入力系列のコピーをシフトさせる値の個数を示す可変制御信号を受け取ると、前記可変制御信号に応答して、入力系列のコピーを可変的及び循環的にシフトして複数の出力系列の中の１つの出力系列を得て、入力系列の前記コピーを値の個数だけ循環的にシフトするステップと
を含む方法。
【請求項１８】
ある処理スキームを使用して情報系列を処理し、入力系列を得るステップと、
請求項１７に記載の方法に従って入力系列から複数の出力系列を生成するステップと、
該入力系列のコピーの循環シフトを制御して、入力系列のコピーをシフトさせる値の個数を処理スキームへ適合化させるステップと
を含む方法。
【請求項１９】
ｎT個の入力系列から出力系列を生成して循環遅延ダイバーシティを得て、入力系列が、複数の受信点によって、複数の可変通信路を介して受け取られる方法であって、
循環遅延ダイバーシティを可変受信条件へ適合化するために可変制御信号を生成するステップであって、可変伝送条件が符号化率を含み、符号化率に依存して入力系列のコピーをシフトさせる値の個数を決定するステップを含む、生成するステップと、
入力系列をシフトさせる値の個数を示す可変制御信号を受け取り、可変制御信号に応答して、ｎT−１個の入力系列を可変的及び循環的にシフトしてｎT個のシフトされた系列を得るステップと、
ｎT−１個のシフトされた系列及び最初の入力系列又はそのシフトされたバージョンを加えて出力系列を得るステップと
ことを含む方法。
【請求項２０】
コンピュータに、請求項１７から１９のいずれかに記載の方法の少なくともいずれかを実行させるコンピュータ・プログラム。
【国際調査報告】
2008511220.tif 000055
2008511220.tif 000056
2008511220.tif 000057